(57)【要約】      （修正有）【課題】新規な車両用暖房装置を提供する。【解決手段】車両用シートのシートバック３に取り付けられるベース部４と、ベース部４に設けられたテーブル部５と、テーブル部５に設けられる面状ヒータ６とを備えるから、後部座席でエアコンとは別に暖を取ることができる。また、ベース部４にテーブル部５が回動自在に取り付けられているから、テーブル部５を使用位置と非使用位置である収納位置とに回動することができる。また、テーブル部５にはカバー部材７が取付け可能な係止片２５が設けられているから、こたつのように使うことができる。【選択図】図１
2018167804.tif 000002
【特許請求の範囲】
【請求項１】
車両用シートのシートバックに取り付けられるベース部と、
前記ベース部に設けられたテーブル部と、
前記テーブル部に設けられる発熱手段とを備えることを特徴とする車両用暖房装置。
【請求項２】
前記ベース部に前記テーブル部が回動自在に取り付けられていることを特徴とする請求項１記載の車両用暖房装置。
【請求項３】
前記テーブル部は、天部と、底部と、前記天部と前記底部とを接続する接続部とを備え、
前記天部と前記底部との間に前記発熱手段が収容され、
前記底部には、前記発熱手段の発した熱を放出する放熱部が設けられていることを特徴とする請求項１又は２記載の車両用暖房装置。
【請求項４】
前記テーブル部にはカバー部材が取付け可能な取付け部位が設けられていることを特徴とする請求項１〜３のいずれか１項に記載の車両用暖房装置。
【請求項５】
前記テーブル部にはカバー部材が取付け可能な取付け部位が設けられ、前記カバー部材が前記放熱部を囲むことを特徴とする請求項３記載の車両用暖房装置。
【請求項６】
前記テーブル部は、天部と、この天部の下部に設けた係止具とを有し、前記係止具により前記発熱手段が支持されることを特徴とする請求項１又は２記載の車両用暖房装置。
【発明の詳細な説明】
【技術分野】
【０００１】
本発明は、乗員の下半身を暖める車両用暖房装置に関する。
【背景技術】
【０００２】
従来、車両に装備するものとして、テーブル装置があり、例えば、車両用シートのシートバックに設けるテーブル部として、乗り物用座席のシートバックには、該シートバックの背面に沿った格納状態と、略水平な使用状態とに、下側に配設したヒンジを中心に回転自在に支持されてなると共に該使用状態で前後にスライド可能なるテーブルを配設してなるもの（例えば特許文献１）や、テーブルの背板から蝶番を介して半開きになるテーブルで、テーブル背板の上部にフックを設け、テーブル背板の内側に折りたたみ式の環状のドリンクホルダーを設け、テーブルの背板に鏡と小物入れを設けたもの（例えば特許文献２）や、自動車のヘッドレスト棒に吊下げ、台本体の水平度を調節することができるもの（例えば特許文献３）や、シート背面に回動可能に支持された上側テーブル板と、シート背面に回動可能に支持された下側テーブル板との二枚のテーブル板を備え、使用状態でテーブル面とは反対側の下面側に照明装置が設けられているもの（例えば特許文献４）などがある。
【０００３】
また、車両に装備するものとして、暖房装置があり、例えば、車輌用の座席の少なくとも人体と直接接触する部分に蓄熱材を充填したクッションパッドと、このクッションパッドの裏面に電熱体を積層状態に設けたもの（例えば特許文献５）などがある。
【先行技術文献】
【特許文献】
【０００４】
【特許文献１】特開２００５−７５１４８号公報
【特許文献２】特開２００６−２６４６５８号公報
【特許文献３】特開平１１−３４８６３３号公報
【特許文献４】特開２０１０−１１１３４５号公報
【特許文献５】特開２００９−２３４４１号公報
【発明の概要】
【発明が解決しようとする課題】
【０００５】
上記のようにシートバックに設けるテーブルは、物を置く以外にも、鏡，小物入れや照明装置など各種の機能を備え、上記照明装置では足元を照明することができる。
【０００６】
ところで、車両の後部座席では、上述したように座席に加熱手段を設けたものがあるが、下半身の膝や足元が冷え易いという問題がある。
【０００７】
そこで、本発明は上記した問題点に鑑み、従来にない新規な車両用暖房装置を提供することを目的とする。
【課題を解決するための手段】
【０００８】
上記目的を達成するために、請求項１に係る発明は、車両用シートのシートバックに取り付けられるベース部と、前記ベース部に設けられたテーブル部と、前記テーブル部に設けられる発熱手段とを備えることを特徴とする。
【０００９】
請求項２に係る発明は、前記ベース部に前記テーブル部が回動自在に取り付けられていることを特徴とする。
【００１０】
請求項３に係る発明は、前記テーブル部は、天部と、底部と、前記天部と前記底部とを接続する接続部とを備え、前記天部と前記底部との間に前記発熱手段が収容され、前記底部には、前記発熱手段の発した熱を放出する放熱部が設けられていることを特徴とする。
【００１１】
請求項４に係る発明は、前記テーブル部にはカバー部材が取付け可能な取付け部位が設けられていることを特徴とする。
【００１２】
請求項５に係る発明は、前記テーブル部にはカバー部材が取付け可能な取付け部位が設けられ、前記カバー部材が前記放熱部を囲むことを特徴とする。
【００１３】
請求項６に係る発明は、前記テーブル部は、天部と、この天部の下部に設けた係止具とを有し、前記係止具により前記発熱手段が支持されることを特徴とする。
【発明の効果】
【００１４】
請求項１の構成によれば、テーブル部を利用して座席で暖を取ることができる。
【００１５】
請求項２の構成によれば、後部座席でエアコンとは別に暖を取ることができ、また、テーブル部を使用位置と非使用位置とに回動することができる。
【００１６】
請求項３の構成によれば、別体の発熱手段を確実に収容することができる。
【００１７】
請求項４の構成によれば、カバー部材をテーブル部に取り付けることができる。
【００１８】
請求項５の構成によれば、カバー部材をこたつ掛けのように使うことができる。
【００１９】
請求項６の構成によれば、別体の発熱手段を係止具により天部の下に支持することができる。
【図面の簡単な説明】
【００２０】
【図１】本発明の実施例１を示す側面図である。
【図２】同上、テーブル部が使用位置の側面図である。
【図３】同上、テーブル部が収納位置の側面図である。
【図４】同上、テーブル部の平面図である。
【図５】同上、分割底板部の底面図である。
【図６】同上、テーブル部の側面図である。
【図７】同上、テーブル部を示し、図７（Ａ）は分割天板部であり、図７（Ｂ）は分割底板部の側面図である。
【図８】同上、カバー部材の要部の斜視図である。
【図９】同上、カバー部材の取付状態を示す断面図である。
【図１０】同上、テーブル部の背面図である。
【図１１】本発明の実施例２を示すテーブル部が使用位置の側面図である。
【図１２】同上、一部を断面にした背面図である。
【図１３】同上、テーブル部が収納位置の側面図である。
【図１４】同上、テーブル部の底面図を示し、図１４（Ａ）は開閉部が開いた状態、図１４（Ｂ）は開閉部が閉まった状態である。
【図１５】同上、テーブル部の背面図である。
【図１６】本発明の実施例３を示すテーブル部の背面図である。
【図１７】本発明の実施例４を示すテーブル部が使用位置の側面図である。
【図１８】本発明の実施例５を示すテーブル部の斜視図である。
【図１９】本発明の実施例６を示すテーブル部の背面図である。
【図２０】本発明の実施例７を示すカバー部材の取付状態を説明する断面図である。
【図２１】本発明の実施例８を示すテーブル部が使用位置の側面図である。
【図２２】本発明の実施例９を示すテーブル部が使用位置の側面図である。
【発明を実施するための形態】
【００２１】
以下、図面を参照して、本発明の車両用暖房装置の実施例について説明する。
【実施例１】
【００２２】
図１〜図１０は本発明の実施例１を示す。同図に示すように、図１は、本実施例の車両用暖房装置１の側面図であって、自動車などの車両用シート２のシートバック３の背面に取り付けられるベース部４と、前記ベース部４に設けられたテーブル部５と、前記テーブル部５に着脱可能に設けられる発熱手段たる面状ヒータ６とを備える。この面状ヒータとしては机用ディスクヒーターなどが例示される。
【００２３】
また、暖房装置１には、必要に応じて、カバー部材７が用いられ、このカバー部材７としては、フリースや毛布などのシート状物が例示される。また、前記ベース部４及び前記テーブル部５は合成樹脂製のものが用いられる。
【００２４】
前記テーブル部５は、天部たる天板１１と、底部たる底板１２と、これら天板１１と底板１２とを連結する接続部たる前，後面部１３Ｆ，１３Ｒ及び左，右側面部１４，１４とを備え、それら天板１１と底板１２は、正方形又は長方形の略方形をなす平板であって、内部に前記面状ヒータ６を収容する収容空間１５を有する。また、前記前面部１３Ｆの前面は湾曲状に形成されている。
【００２５】
前記テーブル部５の前側には、円柱状の枢軸部１６が設けられ、この枢軸部１６の両端部１６Ｔ，１６Ｔが前記左，右側面部１４，１４から左右方向外側に突設されている。前記後面部１３Ｒには、前記収容空間１５に前記面状ヒータ６を出し入れ可能な出し入れ口１７が開口して設けられている。
【００２６】
図５に示すように、前記底板１２には、前記面状ヒータ６の発した熱を放出する放熱部たる孔部１８が穿設され、この孔部１８は前記収容空間１５に連通する。また、前記孔部１８の平面形状は方形であって、前記孔部１８は前記収容空間１５より小さく、前記底板１２の上面には、前記孔部１８の四方に載置面１９が設けられ、この載置面１９に、収容状態の前記面状ヒータ６の四方の縁部が載置される。尚、面状ヒータ６の平面形状は、前記収容空間１５より小さく、且つ、前記孔部１８より大きい。
【００２７】
また、前記左，右側面部１４，１４の一方である左側面部１４の後側には、前記面状ヒータ６のハーネス６Ｈを挿通する挿通孔２０が穿設され、この挿通孔２０は前記収容空間１５と外部を連通する。
【００２８】
図７に示すように、前記テーブル部５は、その厚さ方向中央の分割箇所２１で分割された分割天板部２２と分割底板部２３とを組立てなり、前記分割底板部２３に、左右方向の前記枢軸部１６が一体に設けられ、前記分割天板部２２に、前記枢軸部１６の外周上部が嵌合する半円状の溝部２４が形成されている。このように合成樹脂製のテーブル部５を、収容空間１５を分割する分割箇所２１で分割天板部２２と分割底板部２３に分割することにより、孔部１８より大きい収容空間１５を有するテーブル部５を成形することができる。
【００２９】
前記テーブル部５には、前記カバー部材７を取付け可能な取付け部位たる係止片２５が設けられている。図９に示すように、前記係止片２５は軸部２６の先端に径大な係止頭部２７を有し、合成樹脂製のテーブル部５の成形時に一体成形される。また、前記カバー部材７には、前記係止頭部２７を挿脱可能なスリット状の係止孔２８が設けられ、この係止孔２８は、縁をかがり縫いした、かがり部２８Ａを有するボタンホールである。尚、カバー部材７を、スナップボタンや後述する面ファスナによりテーブル部５に着脱自在に設けてもよい。
【００３０】
前記係止片２５は、左，右側面部１４，１４の上部に前後方向に間隔を置いて複数設けられると共に、後面部１３Ｒの出し入れ口１７の上部に左右方向に間隔を置いて複数設けられている。尚、左，右側面部１４，１４は後述するリンクアーム３８を連結するため、前後方向中央の２つの係止片２５，２５の間隔を他より広くしている。また、底板１２の下面の前側には、下向きの係止片２５が左右方向に間隔を置いて複数設けられている。
【００３１】
そして、複数の係止片２５に対応して、長方形形状のカバー部材７の長手方向縁の一方に、複数の前記係止孔２８が設けられている。
【００３２】
前記ベース部４は、前板部３１と、この前板部３１の後側に設けた上板部３２及び左，右側板部３３，３３とを有する箱形状をなし、後面に開口部３４を有し、内部に前記テーブル部５を収容するテーブル収容空間３５が設けられている。また、前記左，右側板部３３，３３の下部には、前記枢軸部１６の端部１６Ｔが回動自在に連結される枢軸孔３６，３６が穿設され、両端部１６Ｔ，１６Ｔが左右の枢軸孔３６，３６に回動自在に連結されている。
【００３３】
前記暖房装置１は、テーブル部５を略水平に保持する保持機構３７を備える。図１に示すように、前記保持機構３７は、前記左，右側面部１４，１４の前後方向略中央に、リンクアーム３８の一端３８Ａを回動可能に連結し、前記ベース部４の左，右側板部３３，３３に上下方向のリンク溝３９を設け、前記リンクアーム３８の他端に連結部３８Ｂを設け、この連結部３８Ｂを前記リンク溝３９に移動及び回動可能に連結している。尚、前記リンク溝３９が前記連結部３８Ｂを移動及び回動可能に連結する連結受け部である。
【００３４】
従って、図２に示すように、テーブル部５が使用位置である略水平の状態では、リンクアーム３８の連結部３８Ｂがリンク溝３９の下端に係止し、テーブル部５が水平に保持される。この水平のテーブル部５を、枢軸部１６を中心に上方に回動して起こすと、連結部３８Ｂがリンク溝３９の上側に移動し、図３に示すように、テーブル収容空間３５内にテーブル部５が収容される。
【００３５】
前記シートバック３は、その上部にヘッドレスト４５を有し、このヘッドレスト４５の左右一対のステー４６，４６が前記シートバック３の上部に取り付けられており、この例では、ベース部４の上部に、前記ステー４６に掛装する取付部材４７が設けられ、図１に示すように、取付部材４７をステー４６に掛装することにより、シートバック３の後面にベース部４が着脱可能に取り付けられている。尚、ステー４６以外でも、ヘッドレスト４５やシートバック３に、各種の取付部材を用いて、ベース部４を取付けるようにしてもよい。
【００３６】
次に、前記構成につきその作用を説明する。ベース部４にテーブル部５を収納した状態から、テーブル部５を倒し、使用位置の水平にする。図６に示すように、出し入れ口１７から収容空間１５に面状ヒータ６を挿入すると共に、挿通孔２０からハーネス６Ｈを外部に引き出し、ハーネス６Ｈを車載電源（図示せず）に接続する。
【００３７】
一方、テーブル部５の四方に、１枚又は複数枚のカバー部材７を巻き付けるように配置し、そのカバー部材７の係止孔２８に、テーブル部５の係止片２５の係止頭部２７を挿通し、テーブル部５にカバー部材７を取付ける。
【００３８】
そして、カバー部材７により下半身を覆うように配置し、膝の上に位置する面状ヒータ６をオンにすると、面状ヒータ６の発熱面である下面が発熱し、その熱が孔部１８から下方に放出され、熱がカバー部材７内の留まることにより、こたつのような暖房効果が得られる。尚、面状ヒータ６は、ハーネス６Ｈを電源に接続することによりオンになるものや、ハーネス６Ｈに図示しないスイッチを設け、このスイッチのよりオン・オフ操作や温度調節するものでもよい。
【００３９】
一方、テーブル部５による暖房が不要の場合は、面状ヒータ６を取り外し、この状態でテーブル部５を立てた収納位置（非使用位置）にすれば、収容空間１５の底面には前面部１３Ｆの内面が位置するから、収容空間１５を小物入れとして利用することができる。
【００４０】
このように本実施例では、請求項１に対応して、車両用シート２のシートバック３に取り付けられるベース部４と、ベース部４に設けられたテーブル部５と、テーブル部５に設けられる発熱手段たる面状ヒータ６とを備えるから、テーブル部５を利用して座席で暖を取ることができる。尚、この例では、ベース部４にテーブル部５が起伏自在に取り付けられており、テーブル部５を起して使用位置とし、伏して収容位置にすることができる。
【００４１】
このように本実施例では、請求項２に対応して、ベース部４にテーブル部５が回動自在に取り付けられているから、後部座席でエアコンとは別に暖を取ることができ、また、テーブル部５を使用位置と非使用位置である収納位置とに回動することができる。
【００４２】
このように本実施例では、請求項３に対応して、テーブル部５は、天部たる天板１１と、底部たる底板１２と、天板１１と底板１２とを接続する接続部たる前，後面部１３Ｆ，１３Ｒ及び左，右側面部１４，１４とを備え、天板１１と底板１２との間に発熱手段たる面状ヒータ６が収容され、底板１２には、面状ヒータ６の発した熱を放出する放熱部たる孔部１８が設けられているから、別体の面状ヒータ６を確実に収容することができ、孔部１８から面状ヒータ６の熱を放出できる。
【００４３】
このように本実施例では、請求項４に対応して、テーブル部５にはカバー部材７が取付け可能な取付け部位たる係止片２５が設けられているから、テーブル部５にカバー部材７を取り付けることができる。
【００４４】
このように本実施例では、請求項５に対応して、テーブル部５にはカバー部材７が取付け可能な取付け部位たる係止片２５が設けられ、カバー部材７が放熱部たる孔部１８を囲むから、カバー部材７をこたつ掛けのように使うことができる。
【００４５】
以下、実施例上の効果として、孔部１８の四方に位置する載置面１９により面状ヒータ６を安定して支持することができる。また、枢軸部１６により前面部１３Ｆには係止片２５を設けることができないのに対して、底板１２の下面の前側に、係止片２５を左右方向に間隔を置いて複数設けることにより、カバー部材７の前側を安定してテーブル部５に取り付けることができる。さらに、底板１２に孔部１８を設けることにより、収納位置（非使用位置）で、収容空間１５を小物入れとして利用することができる。
【実施例２】
【００４６】
図１１〜図１５は本発明の実施例２を示し、上記実施例１と同一部分に同一符号を付し、その詳細な説明を省略して詳述する。この例では、テーブル部５Ａは、天板１１の下面に、断熱性を有する下板５０を取り付け、この下板５０の前側縁に前記前面部１３Ｆを設け、前記下板５０の左右縁に前記左，右側面部１４，１４を設け、これら左，右側面部１４，１４の後端は開口して前記出し入れ口１７が設けられている。尚、前記天板１１は前記下板５０より大きい。
【００４７】
また、前記テーブル部５Ａは左右一対の係止具５１を備え、この係止具５１は、左，右側面部１４，１４と、この左，右側面部１４，１４の下部の左右内側に設けた横方向の支持部５２，５２とからなり、この支持部５２が前記面状ヒータ６の下面を支持する。そして、前記係止具５１，５１は、左，右側面部１４，１４と横方向の支持部５２，５２とにより略Ｌ字形をなす。また、前記支持部５２は左，右側面部１４，１４の前後方向中央側に設けられている。
【００４８】
図１４に示すように、前記係止具５１の支持部５２は、前記下板５０の前後寸法より短いが、面状ヒータ６を支持する面から下板５０の前後方向寸法の１／２以上とすることが好ましい。また、左右の支持部５２，５２の内縁の間隔Ｈは、左，右側面部１４，１４の内面間隔の０．３〜０．５倍程度である。
【００４９】
そして、前記天板１１の下方において、底面における支持部５２，５２以外の箇所が放熱部５３であり、底板１２に孔部１８を設けた実施例１に比べて、支持部５２，５２の前後及び中央で面状ヒータ６の下方が大きく開口している。そして、図１５に示すように、左右の係止具５１，５１により面状ヒータ６とカバー部材７を取り付けることができる。また、前記下板５０と前記支持部５２との間に前記収容空間１５が設けられている。尚、この例では、支持部５２が底板であり、左，右側面部１４，１４が接続部である。
【００５０】
また、テーブル部５Ａには、前記出し入れ口１７を部分的に開閉する開閉部５５が設けられ、この開閉部５５は前記左，右側面部１４，１４の後縁に左右にスライドする開閉部材５６，５６をそれぞれ設け、図１４（Ｂ）に示すように、開閉部材５６，５６が出し入れ口１７を部分的に塞ぐ閉成位置と、図１４（Ａ）に示すように、開成位置にスライドさせることができる。尚、開閉部５５は開閉部材５６が図１４（Ａ）の位置と図１４（Ｂ）の位置に回動するものでもよい。
【００５１】
この例のベース部４Ａは、パイプ材などの杆状物を枠状に形成したものであり、横方向の上桟部６１と下桟部６２と、これら上桟部６１と下桟部６２の左右を連結する縦方向の左，右桟部６３，６３とを備え、これら左，右桟部６３，６３の下部間には横方向の補強桟部６４が設けられている。また、上桟部６１には左右の取付部材６５，６５が前方に突出され、これら左右の取付部材６５，６５が左右の前記ステー４６，４６に取り付けられ、これにより、ベース部４Ａがシートバック３の背面に着脱可能に取り付けられている。また、左，右桟部６３，６３の下部には、上部より左右間隔の広い幅広部６３Ａ，６３Ａが設けられ、これら幅広部６３Ａ，６３Ａ間に前記補強桟部６４が設けられている。
【００５２】
この例のテーブル部５Ａは、倒した使用位置では天板１１を上にして略水平となり、起した収納位置では天板１１が後を向いた状態でシートバック３の背面に沿う。このため、保持機構３７Ａは、左右一対の連結アーム７１，７１と、左右一対の補助伸縮杆たるガススプリング７２，７２とを備える。尚、テーブル部５Ａの回動を助勢する補助伸縮管としては、ガススプリング以外でも、トーションバーや油圧シリンダなどのアクチュエータを用いることができ、トーションバーやアクチュエータが適宜選択され或いは適宜組み合わされて使用されている。
【００５３】
前記連結アーム７１は、その後端の回動連結部７１Ａを左右の前記左，右側面部１４，１４の外面に回動自在に連結し、その前端の回動連結部７１Ｂを前記左，右桟部６３，６３に回動可能に連結し、テーブル部５Ａの使用状態で前記連結アーム７１は略水平方向を向く。
【００５４】
前記ガススプリング７２の前端の回動連結部７２Ｂが、前記連結アーム７１の回動連結部７１Ｂより下方で前記幅広部６３Ａに回動可能に連結され、そのガススプリング７２の後端の回動連結部７２Ａが前記天板１１の後側下面に回動可能に連結されている。そして、テーブル部５Ａの使用状態では、ガススプリング７２が伸長し、収納状態では、ガススプリング７２が収縮する。尚、ガススプリング７２は、ガスを封入した筒状本体７３と、この筒状本体７３に対して進退するロッド７４とを備え、このロッド７４が進退することによりガススプリング７２が伸長・収縮する。そして、前記回動連結部７２Ａはロッド７４に設けられ、前記回動連結部７２Ｂは前記筒状本体７３に設けられている。
【００５５】
また、前記保持機構３７Ａには、テーブル部５Ａの使用位置で前記ガススプリング７２を保持する伸長位置保持部７５が設けられ、この伸長位置保持部７５は、前記ガススプリング７２の筒状本体７３が当接して該ガススプリング７２の下方への回動を規制する。また、前記保持機構３７Ａには、前記連結アーム７１の回動範囲を規定する上保持部７６と下保持部７６Ａとを備え、各保持部７５，７６，７６Ａは左，右桟部６３，６３に設けられている。
【００５６】
前記上保持部７６は前記連結アーム７１に当接して該連結アーム７１を上方回動位置に位置決めし、この位置でテーブル部５Ａが収納位置となり、前記下保持部７６Ａは前記連結アーム７１に当接して該連結アーム７１が略水平となる下方回動位置に位置決めし、この位置でテーブル部５Ａが使用位置となる。この使用位置で前記ガススプリング７２の垂直に対する角度（回動連結部７２Ｂの回動中心から上方に向かう垂直線とガススプリング７２の中心線との挟角）は４５度以上、この例では略５０度である。
【００５７】
従って、テーブル部５Ａの使用位置で、伸長しているガススプリング７２を収縮するためにはガススプリング７２の反力より大きな力を加える必要があるが、ガススプリング７２は下保持部７６Ａにより下方への回動が規制されており、垂直に対して４５度以上の角度をなすため、テーブル部５Ａに加わる垂直荷重によりガススプリング７２を収縮するには大きな力が必要となり、通常のテーブル部５Ａの使用状態ではテーブル部５Ａが使用位置に保持される。
【００５８】
使用状態のテーブル部５Ａを収納するには、図１１の矢印に示すように、天板１１の前側を手前（後方上側）に引っ張り上げると、テーブル部５Ａが後側の回動連結部７２Ａを中心に回動すると共に、後側の回動連結部７１Ａが上側に向かうように連結アーム７１が回動する。このようにしてテーブル部５Ａの前側が高くなるように斜めになると、テーブル部５Ａを回してガススプリング７２にその軸方向の力を加えることがきるため、所定の力を加えながらガススプリング７２を収縮させると共に回動させて、図１３に示す収納位置にテーブル部５Ａを起すことができる。尚、テーブル部５Ａの収納位置で連結アーム７１とガススプリング７２が略平行となる。
【００５９】
そして、収納位置からテーブル部５Ａを倒すには、ガススプリング７２を伸長する必要があり、伸長にはガススプリング７２の反力を超える力を加える必要があるため、テーブル部５Ａが収納位置に保持される。
【００６０】
前記カバー部材７は方形のものを用い、面状ヒータ６の非加熱面である上面に、カバー部材７の中央側を重ね合わせ、面状ヒータ６の左右を包むようにして、面状ヒータ６の下面の左右にカバー部材７を添わせる。このように面状ヒータ６を包む場合は、カバー部材７は係止孔などの加工のない汎用のフリースや毛布などを用いることができる。
【００６１】
即ち、図１５に示すように、カバー部材７の中央部７Ａを面状ヒータ６の上面に重ね、前記中央部７Ａの左右の部分７Ｂ，７Ｂを、面状ヒータ６の左右側面と面状ヒータ６の下面の左右に沿わせる。この状態で、出し入れ口１７からカバー部材７の中央側と共に面状ヒータ６を収容空間１５内に収容し、面状ヒータ６の下面の左右を、左右の支持部５２，５２上に載置し、面状ヒータ６の下面と支持部５２，５２の間に前記左右の部分７Ｂ，７Ｂが挟まれ、面状ヒータ６及びカバー部材７がテーブル部５Ａに位置決めされた状態となる。この状態で、カバー部材７の周囲を広げるようにして、天板１１の下にカバー部材７により略筒状な部分を形成し、この部分に足などの下半身を入れる。そして、支持部５２，５２の前後は開放されており、支持部５２，５２の前後及び中央で面状ヒータ６の下方が大きく開口しているため、カバー部材７を自由に大きく広げることができる。尚、面状ヒータ６を収納した後、開閉部５５を閉める。
【００６２】
そして、面状ヒータ６をオンにすると、面状ヒータ６の下面が発熱し、その熱が放熱部５３から下方に放出され、熱がカバー部材７内の留まることにより、こたつのような暖房効果が得られる。この場合、カバー部材７によりテーブル部５Ａの下に筒状の空間ができるため、熱が逃げにくい。
【００６３】
また、面状ヒータ６と支持部５２，５２によりカバー部材７が位置決め状態でテーブル部５Ａに取り付けられるため、取付構造の簡略化を図ることができる。
【００６４】
このように本実施例では、上記実施例１と同様な作用・効果を奏し、また、このように本実施例では、請求項６に対応して、テーブル部５Ａは、天部たる天板１１と、この天板１１の下部に設けた係止具５１とを有し、係止具５１により発熱手段たる面状ヒータ６が支持されるから、別体の面状ヒータ６を係止具５１により天板１１の下に支持することができる。
【００６５】
以下、実施例上の効果として、底板１２の前後及び中央で面状ヒータ６の下方が大きく開口しているから、発熱手段の熱を効率よく放熱することができる。また、保持機構３７Ａは、左右一対の連結アーム７１，７１と、左右一対の補助伸縮杆たるガススプリング７２，７２とを備え、ベース部４Ａとテーブル部５Ａの前側を連結アーム７１により連結し、連結アーム７１より下方で、ベース部４Ａとテーブル部５Ａの後側を補助伸縮管たるガススプリング７２により連結し、保持部７５，７６，７６Ａを設けたことにより、テーブル部５Ａの回動を助勢すると共に、使用位置と収容位置でテーブル部５Ａを保持することができる。また、テーブル部５Ａには、前記出し入れ口１７を部分的に開閉する開閉部５５が設けられているから、収容状態の面状ヒータ６の抜け出しを防止することができる。さらに、収納状態で、テーブル部５Ａの天板１１が背面に表れるから、テーブル部５Ａの内側を隠すことができる。
【実施例３】
【００６６】
図１６は本発明の実施例３を示し、上記各実施例と同一部分に同一符号を付し、その詳細な説明を省略して詳述する。この例は、上記実施例１において、底板１２と後面部１３Ｒを設けずに、左，右側面部１４，１４の下縁に、前記支持部５２，５２をそれぞれ設け、テーブル部５は、前記放熱部５３と前記開閉部５５を備える。
【００６７】
そして、図１６に示した状態で、カバー部材７で部分的に覆った面状ヒータ６を収容空間１５内に収容して使用する。従って、テーブル部５には係止片が不要となる。
【００６８】
このように本実施例では、上記各実施例と同様な作用・効果を奏し、また、本実施例では、係止片を設ける必要がなく、構成を簡略化することができる。
【実施例４】
【００６９】
図１７は本発明の実施例４を示し、上記各実施例と同一部分に同一符号を付し、その詳細な説明を省略して詳述する。この例は、実施例１又は実施例３において、テーブル部５を起した使用位置が略水平であり、テーブル部５を下側に回動することにより伏してシートバック３の背面に沿う位置が収納位置であり、テーブル部５は、使用位置と収納位置間で起伏する。
【００７０】
前記ベース部４は、テーブル部５の使用位置より下方においてシートバック３に取り付けられており、実施例１と上下を逆にし、前記上板部３２が下板部３２Ａになっており、左，右側板部３３，３３の上部側に前記枢軸孔３６，３６を設けている。尚、上記実施例と同様にベース部４をステー４６に取り付けてもよいし、シートバック３に取り付けてもよし、ステー４６とシートバック３の両方に取り付けてもよい。
【００７１】
この例の保持機構３７Ｂは、前記リンクアーム３８の一端端にフック部８１を設け、テーブル部５の使用位置で前記フック部８１が係止するフック受け部８２を前記左，右側面部１４，１４の外面に設けている。
【００７２】
従って、テーブル部５を使用位置の略水平まで起し、リンクアーム３８を回動してフック部８１をフック受け部８２に係止することにより、斜めのリンクアーム３８によりテーブル部５が支持される。尚、フック部８１とフック受け部８２が、リンクアーム３８とテーブル部５を連結及び連結解除可能な連結部であり、逆にフック部８１をテーブル部５に設け、フック受け部８２をリンクアーム３８に設けてもよい。
【００７３】
一方、収納時には、テーブル部５を僅かに上方に回してフック部８１とフック受け部８２の係止を解除した後、テーブル部５を下側に回し、ベース部４の収容空間３５にテーブル部５を収容することができる。また、この収容状態で、天板１１が後側になり、支持部５２が前側となる。
【００７４】
このように本実施例では、上記各実施例と同様な作用・効果を奏し、また、本実施例では、テーブル部５の上方に箱形のベース部４がないため、テーブル部５の上面を広く使うことができる。また、テーブル部５の収納状態で、天板１１が後側に位置するから、実施例３のテーブル部５Ａに適応した場合、放熱部５３などを隠すことができる。
【実施例５】
【００７５】
図１８は本発明の実施例５を示し、上記各実施例と同一部分に同一符号を付し、その詳細な説明を省略して詳述する。この例では、テーブル部５Ａの天板１１の下面左右に、接続部たる縦部８５を設け、この縦部８５の下端に、該縦部８５と前後寸法が略同じ前記支持部５２を設け、それら縦部８５と支持部５２により略Ｌ字形の前記係止具５１を構成し、また、天板１１の前側に前記前面部１３Ｆを設けており、テーブル部５の構成を簡略化することができる。尚、この例では、支持部５２が底板である。
【００７６】
このように本実施例では、上記各実施例と同様な作用・効果を奏し、また、本実施例では、係止具５１を設けた構成によりテーブル部５の簡略化を図ることができる。
【実施例６】
【００７７】
図１９は本発明の実施例６を示し、上記各実施例と同一部分に同一符号を付し、その詳細な説明を省略して詳述する。この例では、発熱手段が使い捨てカイロ８６であり、複数の使い捨てカイロ８６を、通気性を有する容器８７に収納して使用している。前記容器８７には使い捨てカイロ８６を出し入れする開閉部（図示せず）を設け、また、容器８７の底板部８７Ｔには、使い捨てカイロ８６の発する熱を放出する放出孔（図示せず）が複数設けられている。尚、前記使い捨てカイロ８６は、酸素の供給により、通気性を有する袋に入れた鉄粉などの発熱体（内容物）が発熱するものである。
【００７８】
前記使い捨てカイロ８６以外でも燃焼により発熱するカイロを用いることもでき、さらに、発熱手段に湯たんぽを用いてもよい。
【００７９】
このように本実施例では、上記各実施例と同様な作用・効果を奏し、また、本実施例では、係止片が不要となる。
【実施例７】
【００８０】
図２０は本発明の実施例７を示し、上記各実施例と同一部分に同一符号を付し、その詳細な説明を省略して詳述する。この例では、取付け部位として、一方の面ファスナー９１を用いており、左，右側面部１４，１４の上部と後面部１３Ｒの出し入れ口１７の上部に連続して面ファスナー９１を設け、また、底板１２の下面の前側には、左右方向の面ファスナー９１を設けており、面ファスナー９１は接着などによりテーブル部５の表面に取り付けられている。
【００８１】
一方、前記面ファスナー９１に着脱可能に連結される他方の面ファスナー９１Ａを、カバー部材７の長手方向縁に縫着などにより設けている。
【００８２】
このように本実施例では、上記各実施例と同様な作用・効果を奏し、また、本実施例では、面ファスナー９１，９１Ａを用いることによりカバー部材７の取付位置の自由度が向上する。
【実施例８】
【００８３】
図２１は本発明の実施例８を示し、上記各実施例と同一部分に同一符号を付し、その詳細な説明を省略して詳述する。この例では、ベース部４の厚さを大きく設定し、ベース部４内の前板部３１側に、カバー部材７と面状ヒータ６の収容空間９５を設け、この収容空間９５には開閉蓋部９６が設けられ、ベース部４は開閉蓋部９６の後側に前記テーブル収容空間３５が設けられている。また、前記収容空間９５にハーネス６Ｈを収容することもできる。
【００８４】
従って、収容状態のテーブル部５を使用位置まで倒し、開閉蓋部９６を開いて、収容空間９５からカバー部材７と面状ヒータ６を取り出し、テーブル部５にカバー部材７と面状ヒータ６をセットすることができる。また、面状ヒータ６を使用しない場合は、収容空間９５にカバー部材７と面状ヒータ６を収納することができるから、利便性に優れる。
【００８５】
また、前記車両用暖房装置１には、テーブル部５を収容状態でロックするロック機構９７が設けられている。このロック機構９７は、例えば、テーブル部５の後面部１３Ｒにロック受け部９８を形成し、このロック受け部９８に段発的に係止する係止部９９を前記ベース部４の上板部３２に設け、この上板部３２に前記係止部９９を操作する操作部たる操作ボタン９９Ａを設けている。
【００８６】
従って、収容状態では、前記係止部９９がロック受け部９８に係止してテーブル部５が収容状態にロックされ、操作ボタン９９Ａを操作すると、ロック受け部９８から係止部９９が外れてテーブル部５を下側に回動することができる。
【００８７】
このように本実施例では、上記各実施例と同様な作用・効果を奏し、また、本実施例では、面状ヒータ６とカバー部材７の収納性が向上する。
【実施例９】
【００８８】
図２２は本発明の実施例８を示し、上記各実施例と同一部分に同一符号を付し、その詳細な説明を省略して詳述する。この例は、実施例１又は実施例３において、テーブル部５は、その天板１１を前側にして、前記ベース部４の収容空間１５に収容され、この位置がテーブル部５の収容位置（非使用位置）である。
【００８９】
前記収容位置のテーブル部５は、ベース部４に設けられたスライド案内手段（図示せず）により、ベース部４の上下方向に沿って移動可能に該ベース部４に設けられている。この移動の際は、ベース部４の前板部３１に対して、テーブル部５の天板１１が略平行になった状態で移動する。そして、テーブル部５を略水平な使用位置にするには、収容位置のテーブル部５を上方に引き上げ、上限位置まで引き上げた後、例えば前記枢軸孔３６に前記枢軸部の端部１６Ｔが回動可能に係合するように操作し、ここから端部１６Ｔを中心にテーブル部５を水平位置に倒し、前記保持機構３７Ｂにより使用位置に保持し、車両用暖房装置１として使用する。
【００９０】
また、テーブル部５を収容位置にするには、実施例４で説明したように、保持機構３７Ｂによる保持を解除し、枢軸部１６を中心にテーブル部５を上方に回動し、テーブル部５の天板１１がベース部４の前板部３１と平行になったら、前記端部１６Ｔと前記枢軸孔３６との係合を解除し、テーブル部５を下方に押し下げると、スライド案内手段によりテーブル部５が下がり、ベース部４の収容空間３５にテーブル部５が収容される。
【００９１】
このように本実施例では、上記各実施例と同様な作用・効果を奏し、また、本実施例では、ベース部４をシートバック３の下部側に配置することができると共に、下部側に取付けたベース部４にテーブル部５を収容することができ、一方、使用時には、テーブル部５を下から上に持ち上げるようにして回動することなく、シートバック３の後部の上部空間でテーブル部５を倒すようにして使用位置に配置することができる。
【００９２】
尚、本発明は、本実施例に限定されるものではなく、本発明の要旨の範囲内で種々の変形実施が可能である。例えば、実施例では、シートバックに後付けするタイプのベース部を説明したが、シートバックにテーブル部を起伏可能に設けてもよく、この場合はシートバックのテーブル部を取付ける部分がベース部となる。また、取付け部材は磁石やホックなどでもよく、さらに、カバー部材に吸盤を設け、この吸盤によりテーブル部にカバー部材を取付けてもよく、この場合は、吸盤が吸着するカバー部材の面が取付け部位である。また、カバー部材に紐体を設け、この紐体を係止片に結んでテーブル部にカバー部材を取付けるなど各種の取付構造を用いることができる。さらに、本暖房装置を助手席に設けてもよく、この場合は、ダッシュボードにベース部を取付けたり、ダッシュボードにテーブル部を内蔵したりすることができる。また、実施例では収容空間に発熱手段の全体が収容される例を示したが、収容空間に発熱手段の一部が収容されていてもよい。さらに、発熱手段はテーブル部に固定されていてもよい。また、保持手段は、枢軸孔に対する枢軸部の回動位置を規制してテーブル部を保持するものでもよい。さらに、各実施例の構成を組み合わせることができることは言うまでもなく、例えば、実施例１のテーブル部と実施例２のベース部を組み合わせるなど各実施例のテーブル部とベース部を適宜組み合わせることができる。また、実施例ではテーブル部の後面に出し入れ口を設けたが、左右の少なくとも一方に出し入れ口を設けて発熱手段を出し入れするようにしてもよい。さらに、テーブル部は使用位置と収納位置とに配置できるよう移動可能にベース部に設けられていればよい。
【符号の説明】
【００９３】
１  車両用暖房装置
２  車両用シート
３  シートバック
４  ベース部
４Ａ  ベース部
５  テーブル部
５Ａ  テーブル部
６  面状ヒータ（発熱手段）
７  カバー部材
１１  天板
１２  底板
１３  前後面部（接続部）
１４  左右側面部（接続部）
１５  収容空間
１８  孔部（放熱部）
２５  係止片（取付け部位）
５１  係止具
５３  放熱部
８５  縦部（接続部）
８６  使い捨てカイロ（発熱手段）
９１  面ファスナー（取付け部位）
【図１】
2018167804.tif 000003
【図２】
2018167804.tif 000004
【図３】
2018167804.tif 000005
【図４】
2018167804.tif 000006
【図５】
2018167804.tif 000007
【図６】
2018167804.tif 000008
【図７】
2018167804.tif 000009
【図８】
2018167804.tif 000010
【図９】
2018167804.tif 000011
【図１０】
2018167804.tif 000012
【図１１】
2018167804.tif 000013
【図１２】
2018167804.tif 000014
【図１３】
2018167804.tif 000015
【図１４】
2018167804.tif 000016
【図１５】
2018167804.tif 000017
【図１６】
2018167804.tif 000018
【図１７】
2018167804.tif 000019
【図１８】
2018167804.tif 000020
【図１９】
2018167804.tif 000021
【図２０】
2018167804.tif 000022
【図２１】
2018167804.tif 000023
【図２２】
2018167804.tif 000024